(57)【要約】  容量性駆動システム１００が、−  上面１１７に位置された電力伝送電極１１１、１１２の組と、交流電力を発生させるように適合された電力発生器１３とを有する電力供給デバイス１１０と、−  下面２２７にある２つの受信電極２２１、２２２と、前記受信電極に結合された少なくとも１つの負荷部材２２３とをそれぞれ有する負荷デバイス２００とを備える。エネルギー転送位置では、負荷デバイスの下面が電力供給デバイスの上面に向けられ、前記電力伝送電極の少なくとも一方が、前記受信電極のうちの対応する電極と共に第１の電力転送コンデンサ３１を画定する。共振エネルギー転送は、電力供給デバイスから負荷部材に向けて行われる。前記第１の電力転送コンデンサの静電容量値の修正を可能にするために、負荷デバイスが回転され得る。
2017506415.tif 000002
【特許請求の範囲】
【請求項１】
上面を有する電力供給デバイスであって、前記上面に位置された電力伝送電極の少なくとも１つの組と、前記電力伝送電極のそれぞれの電極に結合された２つの出力端子を有する電力発生器とを備え、前記電力発生器が、前記出力端子において特定の電力周波数での交流電圧を有する電力を発生させる、電力供給デバイスと、
下面を有する少なくとも１つの負荷デバイスであって、前記下面にある２つの受信電極と、前記受信電極に結合された少なくとも１つの負荷部材とを備える、少なくとも１つの負荷デバイスと
を備え、
前記電力供給デバイスと前記負荷デバイスとは、前記負荷デバイスの前記下面が前記電力供給デバイスの前記上面に向けられ、前記電力伝送電極の少なくとも１つが、前記受信電極のうちの対応する電極とで第１の電力転送コンデンサを画定するエネルギー転送位置を有し、
前記エネルギー転送位置で、共振エネルギー転送が、前記電力供給デバイスから前記負荷部材に向けて行われ、
前記エネルギー転送位置で、少なくとも前記対応する１つの受信電極が、前記第１の電力転送コンデンサの静電容量値の修正を可能にするために前記対応する電力伝送電極に対して変位自由度を有する、容量性駆動システム。
【請求項２】
前記電力供給デバイスの前記上面に互いに並べて配置された複数の負荷デバイスを備える、請求項１に記載の容量性駆動システム。
【請求項３】
前記負荷デバイスが照光負荷デバイスであり、前記負荷部材が少なくとも１つのＬＥＤを備える、請求項１に記載の容量性駆動システム。
【請求項４】
前記負荷部材が、互いに並列に、互いに直列に、及び／又は互いに逆並列に配置されたＬＥＤのアレイを備える、請求項３に記載の容量性駆動システム。
【請求項５】
前記負荷デバイスが全体として、前記第１の電力転送コンデンサの前記静電容量値の修正を可能にするために、前記電力供給デバイスの前記上面に平行な少なくとも１つの方向で変位自由度を有する、請求項１に記載の容量性駆動システム。
【請求項６】
前記電力供給デバイスの前記上面に沿った前記それぞれの負荷デバイスの移動を防止するが、前記電力供給デバイスの前記上面に垂直な回転軸の周りでの前記それぞれの負荷デバイスの回転運動を可能にする、回転位置決め手段を備える、請求項５に記載の容量性駆動システム。
【請求項７】
各負荷デバイスが、その下面から突出する位置決めピンを有する一方、前記電力供給デバイスの前記上面が、前記それぞれの負荷デバイスの前記それぞれの位置決めピンを受けるための位置決め凹部を備えるか、又は各負荷デバイスが、その下面に位置決め凹部を有する一方、前記電力供給デバイスの前記上面が、前記それぞれの負荷デバイスの前記それぞれの位置決め凹部を受けるための突出する位置決めピンを備える、請求項６に記載の容量性駆動システム。
【請求項８】
前記対応する１つの受信電極の変位が、前記対応する電力伝送電極との重なり合いの変化をもたらし、よって前記第１の電力転送コンデンサの前記静電容量値を修正し、及び／又は前記対応する１つの受信電極の変位が、前記対応する１つの受信電極と前記対応する電力伝送電極との間の距離の変化をもたらし、よって前記第１の電力転送コンデンサの前記静電容量値を修正する、請求項１に記載の容量性駆動システム。
【請求項９】
前記負荷モジュールの前記２つの受信電極の少なくとも一方が、前記負荷モジュールの前記下面に対して変位可能である、請求項１に記載の容量性駆動システム。
【請求項１０】
他方の受信電極が、その対応する電力伝送電極に容量結合されるか、又はその対応する電力伝送電極にガルバニック結合される、請求項１に記載の容量性駆動システム。
【請求項１１】
前記電力供給デバイスが、前記電力発生器の前記電力周波数を、既定の下限周波数と既定の上限周波数との間の周波数範囲内でスイープする、請求項１に記載の容量性駆動システム。
【請求項１２】
容量性駆動システムにおける照光負荷デバイスの光出力を適合させるための方法であって、前記容量性駆動システムは、上面を有する電力供給デバイスを備え、前記電力供給デバイスは、前記上面に位置された電力伝送電極の少なくとも１つの組と、前記電力伝送電極のそれぞれの電極に結合された２つの出力端子を有する電力発生器とを備え、前記電力発生器が、前記出力端子において特定の電力周波数での交流電圧を有する電力を発生させ、
前記方法は、前記電力供給デバイスに対して前記照光負荷デバイスを変位させるステップを含み、前記照光負荷デバイスが、２つの受信電極を備える下面を有し、且つ前記受信電極に結合された少なくとも１つの負荷部材を更に備え、前記少なくとも１つの負荷部材が、互いに平行に、互いに直列に、及び／又は互いに逆並列に配置されたＬＥＤのアレイを備え、
前記照光負荷デバイスは、前記照光負荷デバイスの前記下面が前記電力供給デバイスの前記上面に向けられ、前記電力伝送電極の少なくとも１つが、前記受信電極のうちの対応する電極とで第１の電力転送コンデンサを画定するエネルギー転送位置にある間に前記電力供給デバイスに対して変位され、
前記エネルギー転送位置で、共振エネルギー転送が、前記電力供給デバイスから前記負荷部材に向けて行われ、
前記対応する電力伝送電極に対する少なくとも前記対応する１つの受信電極の前記変位が、前記第１の電力転送コンデンサの静電容量値の修正を可能にする、方法。
【請求項１３】
前記電力供給デバイスに対して前記照光負荷デバイスを変位させる前記ステップが、前記電力供給デバイスに対して前記照光負荷デバイスを回転させるステップを含む、請求項１２に記載の方法。
【請求項１４】
容量性照光システムを製造するための方法であって、前記方法は、
上面を有する電力供給デバイスを提供するステップであって、前記電力供給デバイスが、前記上面に位置された電力伝送電極の少なくとも１つの組と、前記電力伝送電極のそれぞれの電極に結合された２つの出力端子を有する電力発生器とを備え、前記電力発生器が、前記出力端子において特定の電力周波数での交流電圧を有する電力を発生させる、ステップと、
それぞれ下面を有する複数の照光負荷デバイスを提供するステップであって、各照光負荷デバイスが、前記下面にある２つの受信電極と、前記受信電極に結合された少なくとも１つの照光負荷部材とを備え、前記照光負荷部材が、少なくとも１つのＬＥＤを備える、ステップと、
各負荷デバイスの前記下面が前記電力供給デバイスの前記上面に向けられ、前記電力伝送電極の少なくとも１つが、前記受信電極のうちの対応する電極と共に第１の電力転送コンデンサを画定するエネルギー転送位置で、前記照光負荷デバイスを前記電力供給デバイス上に配置するステップと、
−  前記電力供給デバイスから前記照光負荷部材に向けて共振エネルギー転送を行うステップと、
−  前記照光負荷デバイスの光出力を適合させるために、前記エネルギー転送位置で、前記照光負荷デバイスの少なくとも１つを前記電力供給デバイスに対して変位させるステップと、
−  最後に、前記電力供給デバイスに対して前記照光負荷デバイスを固定するステップと
を含む、方法。
【請求項１５】
前記電力供給デバイスと前記それぞれの負荷デバイスとは、前記電力供給デバイスの前記上面に沿った前記それぞれの負荷デバイスの移動を防止するが、前記電力供給デバイスの前記上面に垂直な回転軸の周りでの前記それぞれの負荷デバイスの回転運動を可能にする回転位置決め手段を備え、
前記照光負荷デバイスの前記光出力を適合させるために、前記照光負荷デバイスの少なくとも１つを前記電力供給デバイスに対して変位させる前記ステップが、前記照光負荷デバイスを前記電力供給デバイスに対して回転させるステップを含む、請求項１４に記載の方法。
【発明の詳細な説明】
【技術分野】
【０００１】
本発明は、概して照明の分野に関し、より詳細には、本発明は、ＬＥＤのアレイを備える照明システムであって、ＬＥＤが直列コンデンサに接続された照明システムに関する。
【背景技術】
【０００２】
ＬＥＤのアレイを備えるＬＥＤパネルに電力供給するために、従来、電源からワイヤを介してＬＥＤに電力を転送することが可能であるが、これは、比較的複雑であり、かなりの費用が掛かる。更に、照光の目的で、典型的には、全てのＬＥＤが互いに同じ光出力を有することが望ましいが、有線式の実施形態でこれを実現することは難しい。製造公差により、あるＬＥＤが他のＬＥＤよりも明るくなるため、個々のＬＥＤ構成要素が必ずしも互いに同一の特性を有さないことに留意されたい。この相違は、可能な限りなくされるべきである。
【０００３】
代替設計では、ＬＥＤは、ＬＥＤ電流を制限するための直列コンデンサを個別に又はグループとして設けられる。これらの直列コンデンサの公差は、ＬＥＤ間の光出力のばらつきを引き起こし、補償のために追加のコンデンサが使用され得る。米国特許第７８３００９５号は、そのようなＬＥＤが互いに並列の複数のコンデンサを設けられ、各コンデンサがスイッチを設けられ、それにより、これらのスイッチの１つ又は複数を選択的にオン又はオフに切り替えることによって直列静電容量値を適合させることが可能であるシステムを述べる。しかし、問題は、静電容量変化、従ってＬＥＤ電流、従ってＬＥＤ出力が段階的にのみ変化され得ることである。更に、厳密な補償のためには、多くのトリマコンデンサ及びそれに対応する多くのスイッチが必要とされ、これはかなりの費用が掛かり、この問題は、ＬＥＤの広がりの増加及び／又は直列コンデンサの広がりの増加と共に高まる。
【０００４】
共振電力供給が使用される場合、電力供給デバイスは、ＡＣ電力を発生させるためのＡＣ電力発生器と、少なくとも１つのインダクタとを備え、インダクタは、それぞれのＬＥＤ又はＬＥＤのグループに関するそれぞれの直列コンデンサに直列に結合される。そのような場合、ＬＥＤアレイ全体のインピーダンス、及びＬＥＤアレイ全体の共振周波数が、静電容量変化と共に変化することが当業者には明らかであろう。
【発明の概要】
【発明が解決しようとする課題】
【０００５】
本発明の全般的な目的は、上述した問題を解消するか、又は少なくとも低減することである。
【課題を解決するための手段】
【０００６】
本発明の重要な一態様によれば、本発明による照明システムは、容量電極を設けられた少なくとも１つの作用面を有するキャリアデバイスを備える。システムは、少なくとも１つ、しかし典型的には複数のサブモジュールを更に備え、サブモジュールは、一方では、キャリアデバイス電極と結合するための容量電極を備え、他方では、少なくとも１つのＬＥＤを備える。サブモジュールは、キャリア上に配置される。ＬＥＤの光出力をトリミングするために、サブモジュールは、キャリア表面上で変位されて、サブモジュールとキャリアデバイスとの間の容量結合を変える。この変位は、２次元変位でよい。有利には、サブモジュールの位置が全体として一定であることが望まれるとき、サブモジュールは回転され得る。サブモジュールの相対位置が適正であるとき、サブモジュールは、例えば接着又はクランプによってキャリアに対して固定される。
【０００７】
電源の出力周波数を調節する必要性をなくすために、電源の周波数は、好ましくは、アレイの実際の共振周波数が周波数範囲内にあることを保証するのに十分に大きい周波数範囲内でスイープされる。そのようにして、周波数スイープ期間の少なくとも一部において共振電流が常に発生されることが保証される。
【０００８】
本発明のこれら及び他の態様、特徴、並びに利点を、１つ又は複数の好ましい実施形態の以下の説明によって図面を参照して更に説明する。図面中、同じ参照番号は、同一又は同様の部分を示す。
【図面の簡単な説明】
【０００９】
【図１】容量性駆動システムを概略的に示すブロック図である。
【図２Ａ】本発明による容量性駆動システムに関する電力供給デバイスの概略斜視上面図である。
【図２Ｂ】本発明による容量性駆動システムに関する負荷モジュールの概略ブロック図である。
【図２Ｃ】負荷モジュールの概略斜視底面図である。
【図３】周波数スイープを示すグラフである。
【発明を実施するための形態】
【００１０】
図１は、電力供給デバイス１０と、別個の負荷デバイス２０とを備える容量性駆動システム１を概略的に示すブロック図である。図示される例では、電力供給デバイス１０は、２つの板状の電力伝送電極１１、１２を備え、これらの電力伝送電極１１、１２は、出力端子と見なされ得る。電力供給デバイス１０は、ＡＣ電力を発生させるための電力発生器１３を更に備える。電力供給デバイス１０の第１の出力端子１４は、電力伝送電極のうちの第１の電極１１に接続され、電力供給デバイス１０の第２の出力端子１５は、電力伝送電極のうちの第２の電極１２に接続される。少なくとも１つのインダクタ１６が、電力供給デバイス１０と電力伝送電極１１、１２との間に直列に接続される。
【００１１】
負荷デバイス２０は、第１の板状の受信電極２１と第２の板状の受信電極２２との間に直列に接続された少なくとも１つの負荷部材２３を備える。負荷部材２３は、抵抗器として示され、理想的にはオーミック特性を有することができる。
【００１２】
電力伝送電極１１、１２は、電力供給デバイス１０の外面１７の近くに位置され、受信電極２１、２２は、負荷デバイス２０の外面２７の近くに位置される。受信電極２１、２２の配置は電力伝送電極１１、１２の配置に合致し、それにより、エネルギー転送位置で、負荷デバイス２０と電力供給デバイス１０とが互いに近接して配置され得る。このエネルギー転送位置では、第１の電力伝送電極１１は、第１の受信電極２１と共に第１の電力転送コンデンサ３１を画定し、第２の電力伝送電極１２は、第２の受信電極２２と共に第２の電力転送コンデンサ３２を画定する。
【００１３】
インダクタ１６は、コンデンサ３１及び３２と共に、ある共振周波数を有する共振回路を画定し、電力発生器１３は、前記共振周波数でＡＣ出力信号を発生させるように設計され、それにより、回路は共振状態で動作し、電力が電力発生器１３から負荷部材２３に効率的に転送される。
【００１４】
電力転送コンデンサ３１、３２の厳密な実際の静電容量値は、負荷デバイス２０の厳密な実際の配置の状況に依存する。電力供給デバイス１０に対する負荷デバイス２０の変位が、電力転送コンデンサ３１、３２の実際の静電容量値の変化、従って負荷部材２３に転送される電力の変化をもたらす。本発明は、この効果を利用する。本発明は、単一の負荷部材２３を有するものとして既に述べられており、負荷部材２３は任意のタイプの負荷でよい。しかし、特に有利な実施形態では、容量性駆動システム１００が複数の負荷デバイス２０を備え、各負荷デバイス２０が１つ又は複数のＬＥＤを備え、以下では本発明をこの例に関して特に説明する。
【００１５】
図２Ａは、本発明による容量性駆動システム１００用の電力供給デバイス１１０の概略斜視上面図である。電力供給デバイス１１０は、上述した電力供給デバイス１０と同一でよい。上面が参照番号１１７で示されている。上面１１７に、電力伝送電極１１１、１１２のパターンが配置される。図２Ａの例では、電力伝送電極１１１、１１２は、細長いストリップとして実装され、互いに平行であり、ある所定の幅と、ある所定の相互距離とを有する。１対の電極のみが図示されているが、当業者には明らかなように、上面１１７のサイズによっては、上面１１７がそのような対を複数設けられ得る。
【００１６】
図２Ｂは、負荷モジュール２００の概略ブロック図であり、図２Ｃは、負荷モジュール２００の概略斜視底面図である。負荷モジュールは、下面２２７と、反対側の上面２２８とを有する。上面２２８にはＬＥＤ負荷２２３が配置される。ＬＥＤ負荷２２３は、上面２２８の面上に配置され得るが、上面２２８内に凹ませて配置されることもできる。ＬＥＤ負荷２２３は、ＬＥＤを１つのみ含むことができ、２つ以上のＬＥＤのアレイを備えることができ、それらのＬＥＤは、直列に、並列に、逆並列に、又はそれらの組合せで電気的に接続され得、また、それらのＬＥＤは、上面２２８にわたって分散されて配置され得る。図１と同様に、２つの受信電極２２１、２２２が下面２２７の近くに位置される。受信電極２２１、２２２は、図示されるように円形状を有することができ、電力伝送電極ストリップ１１１、１１２の幅に等しい直径を有することができるが、厳密な形状及びサイズは重要でない。受信電極２２１、２２２は、電力伝送電極ストリップ１１１、１１２の相互距離に等しい相互距離を有することができるが、厳密な相互距離は重要でない。
【００１７】
使用の際、負荷モジュール２００は、電力供給デバイス１１０の上面１１７に配置され、負荷モジュール２００の下面２２７が電力供給デバイス１１０の上面１１７に接する。この接触は直接的なものでよいが、負荷モジュール２００と電力供給デバイス１１０との間に薄い別個の誘電体離隔層（図示せず）が位置され得、この場合、接触は間接的である。接触領域は、負荷モジュール２００の下面２２７と同じサイズである必要はない。例えば、誘電体離隔層が穴を有し、その位置で負荷モジュール２００と電力供給デバイス１１０との間に空気ギャップが存在し得る。
【００１８】
一実施形態では、システム１００は、負荷モジュール２００を１つのみ備える。別の実施形態では、電力供給デバイス１１０の上面１１７の表面積は、負荷モジュール２００のフットプリントよりも実質的に大きく、システム１００は、電力供給デバイス１１０の上面１１７に互いに並べて配置された複数の負荷モジュール２００を備える。図２Ａに示されているように、１対のみの電力伝送電極ストリップ１１１、１１２の場合、複数の負荷モジュール２００は、この対に沿って実質的に配置される。前記１対の電力伝送電極ストリップ１１１、１１２に垂直な方向に複数の負荷モジュール２００を有することを可能にするために、電力供給デバイス１１０の上面１１７は、電力伝送電極ストリップ１１１、１１２の対を複数設けられ得るが、見易くするためにこれは図示されていない。
【００１９】
システム１００の主光出力方向は、電力供給デバイス１１０の上面１１７に実質的に垂直である。電力供給デバイス１１０は、出力光を上方に向けるために、図面に示される向きで使用され得る。しかし、電力供給デバイス１１０は、出力光を下方に向けるために上下逆さに使用され得、又は出力光を水平方向に向けるために垂直向きで使用され得る。電力供給デバイス１１０の向きに関係なく負荷モジュール２００を電力供給デバイス１１０に付着させるために、負荷モジュール２００及び電力供給デバイス１１０は、付着手段を設けられ得る。そのような付着手段は、例えば静電式又は電磁式のものでよいが、単純な実施形態では、付着手段は磁石を含み得る。
【００２０】
一実施形態では、負荷モジュール２００は、電力供給デバイス１１０の上面１１７に平行な２方向（Ｘ−Ｙ）で変位自由度を有することができる。負荷モジュールがそのように変位されるとき、その変位が電力伝送電極ストリップ１１１、１１２の対に厳密に平行でない限り、光出力の量は通常、変位と共に変化する。
【００２１】
負荷モジュール２００が電力供給デバイス１１０の上面１１７上で変位されるそのような変位自由度は、負荷モジュールが光を発生させるスポットの変位をもたらす。これは、美観の面で望ましい効果となり得る。しかし、光スポットが位置的に固定されることが望ましいこともある。特に好ましい実施形態では、負荷モジュール２００及び電力供給デバイス１１０は、回転位置決め手段３００を設けられる。そのような位置決め手段は、Ｘ及びＹ方向に沿った変位を防止するが、電力供給デバイス１１０の上面１１７に垂直な回転軸周りでの回転運動を可能にする。一例として、図２Ｃで、負荷モジュール２００は、その下面２２７から突出する位置決めピン３０１を有し、一方、電力供給デバイス１１０の上面１１７は、位置決め凹部３０２（見易くするために１つのみが示されている）を設けられ、位置決め凹部３０２に上記の位置決めピン３０１が嵌まる。ピンと凹部が交換され得ることは明らかであるが、見易くするためにこれは図示されていない。
【００２２】
ここでも、所望の光スポットパターンを得るため及びそのパターンを自由に変更するために、ユーザが光スポット毎の光出力を変えることが意図され得る。そのような実施形態に関して、システムは、ここでも上述したような付着手段を有することができる。また、光パネルに固定性を与えることが意図され得、このとき、例えば負荷モジュール２００の光出力が互いに同一になるように負荷モジュール２００をトリミングするために、システムの製造時又は設置時に負荷モジュール２００の変位が１度のみ必要とされる。そのような場合、負荷モジュール２００をそれらの最終位置に設定した後、これらの位置は、例えば接着剤の液滴によって、機械的クランプによって、又はねじによって固定され得る。
【００２３】
図２Ａ〜Ｃの例において、位置決めピン３０１は、２つの受信電極２２１、２２２の間に対称的に図示されており、位置決め凹部３０２は、２つの電力伝送電極１１１、１１２の間に対称的に図示されている。そのような状態では、負荷モジュール２００の回転は、前記第１及び第２の電力転送コンデンサ３１、３２の両方の静電容量値の同時変化を引き起こす。しかし、負荷モジュール２００の位置決めは、電力伝送電極１１１、１１２に対して対称的である必要はなく、第１及び第２の電力転送コンデンサ３１、３２の静電容量値の変化も対称的である必要はない。従って、回転軸が受信電極２２１、２２２の１つと一致し、それにより、対応する電力転送コンデンサが一定の容量を保つことさえ可能である。更に、容量型エネルギー転送に関して、２つの受信電極２２１、２２２の一方が、対応する電力伝送電極と共に電力転送コンデンサを画定すれば十分であることに留意されたい。即ち、他方の電極は、対応する電力伝送電極とのガルバニック接触を有し得る。また、例えば図２Ｃで、ピン３０１がガルバニック接触電極でもよく、電極２２２は省略されても、電極２２１に平行に接続され得る。
【００２４】
１つのガルバニック接触部及び１つの容量接触部を有する実施形態では、電力発生器１３が、接地された１つの出力端子（例えば参照番号１５）を有し、接地された端子が容量出力接触部に接続され、接地されていない出力端子がガルバニック接触部に接続されると有利である。
【００２５】
上記では、負荷モジュールが変位されるときに変化する電極の重なり合いに関連して、容量結合の静電容量の変化を説明した。しかし、代替として又は追加として、電極距離を変えることによって静電容量を変えることも可能である。負荷モジュールが回転される図２Ｃに示されるものと同様の実施形態において、ピン３０１がねじ切りされ、対応する凹部３０２がそれに合致するねじ山を有することができる。そのような場合、負荷モジュールを時計周り又は反時計周りに回すと、電極距離が増加又は減少する。有利には、ピン３０１は、ガルバニック接触部である。
【００２６】
そのようなモジュールの光出力を変えるために負荷モジュール２００の位置を変えるとき、負荷システム全体の動作静電容量が変化する。従って、電力供給デバイス１１０の電源が一定の周波数で動作するとき、負荷システム全体への電力転送が変化し、これは、位置が変えられている負荷モジュール２００の光出力に影響を及ぼすだけでなく、静止している負荷モジュール２００の光出力にも影響を及ぼす。これに対処するために、負荷モジュール２００の新たな位置設定に属する新たな最適な周波数を見出すために、電源の周波数を（手動で）変えることが可能である。しかし、好ましい実施形態では、電源は、その周波数を、既定の下限周波数ｆＬと既定の下限周波数ｆＨとの間の周波数範囲内でスイープするように適合される。図３は、取り得る周波数スイープパターンの一例における、時間（水平軸）の関数として出力周波数（垂直軸）を示すグラフである。例示のパターンは、三角形パターンである。代替の例は、鋸歯パターンや正弦パターン等である。そのようなパターンはそれ自体知られており、更なる説明は必要ない。スイープパターンの繰返し時間周期中、最適な周波数が前記２つの限界周波数の間にあると仮定して、出力周波数が少なくとも１回は最適な周波数に等しくなることが明らかであろう。繰返し周波数は好ましくは１００Ｈｚよりも高く、従ってスイープは人間の観察者には知覚されない。
【００２７】
要約すると、本発明は、
−  上面１１７に位置された電力伝送電極１１１、１１２の組と、交流電力を発生させるように適合された電力発生器１３とを有する電力供給デバイス１１０と、
−  下面２２７にある２つの受信電極２２１、２２２と、前記受信電極に結合された少なくとも１つの負荷部材２２３とをそれぞれ有する負荷デバイス２００と
を備える容量性駆動システムを提供する。
【００２８】
エネルギー転送位置では、負荷デバイスの下面が電力供給デバイスの上面に向けられ、及び前記電力伝送電極の少なくとも一方が、前記受信電極のうちの対応する電極と共に第１の電力転送コンデンサ３１を画定する。共振エネルギー転送は、電力供給デバイスから負荷部材に向けて行われる。前記第１の電力転送コンデンサの静電容量値の修正を可能にするために、負荷デバイスが回転され得る。
【００２９】
本発明を図面及び上記の説明で詳細に図示して説明してきたが、そのような図示及び説明は例示又は例説と見なすべきであり、限定と見なすべきではないことが当業者には明らかであろう。本発明は、開示される実施形態に限定されず、添付の特許請求の範囲で定義される本発明の保護範囲内で幾つかの変形形態及び修正形態が可能である。
【００３０】
例えば、電力伝送電極１１１、１１２の設計は、細長いストリップとして例示されているが、それらの電極が異なる設計を有することもできる。例えば、電力伝送電極は、位置決めピン又は凹部３０２に対する径方向電極として、又は位置決めピン又は凹部３０２の周りに螺旋状に延びる螺旋形状電極として設計され得る。更に、電力供給デバイス１１０の上面１１７は平坦面として論じられているが、代替として曲面でもよい。
【００３１】
上記では、負荷モジュール２００の２つの受信電極２２１、２２２は、負荷モジュール２００の下面２２７に対して固定されているものとして述べた。そのような場合、電力供給デバイス１１０の上面１１７に対して負荷モジュールを全体として変位させることによって、結合容量の変化が得られる。しかしまた、負荷モジュール２００の前記２つの受信電極２２１、２２２の少なくとも一方が、負荷モジュール２００の下面２２７に対して変位可能であってもよい。そのような場合、負荷モジュール２００が電力供給デバイス１１０に対して完全に静止しているときでさえ、変位可能な電極を負荷モジュール２００の下面２２７、従って電力伝送電極１１１、１１２に対して変位させることによって、結合容量の変化が得られ得る。
【００３２】
開示される実施形態に対する他の変形形態は、図面、本開示、及び添付の特許請求の範囲の検討から当業者によって理解され、特許請求される本発明を実践する際に実施され得る。特許請求の範囲において、用語「備える」は、他の要素又はステップを除外せず、「１つの（a）」又は「１つの（an）」は、複数を除外しない。幾つかの特徴が異なる従属請求項に記載されている場合でさえ、本発明は、それらの特徴を合わせ備える実施形態にも関する。特許請求の範囲内の任意の参照符号は、範囲を限定するものと見なされるべきではない。
【図１】
2017506415.tif 000003
【図２Ａ】
2017506415.tif 000004
【図２Ｂ】
2017506415.tif 000005
【図２Ｃ】
2017506415.tif 000006
【図３】
2017506415.tif 000007
【国際調査報告】
2017506415.tif 000008
2017506415.tif 000009
2017506415.tif 000010